(57)【特許請求の範囲】
【請求項１】
前面基板の背面側に行方向に延び列方向に並設されてそれぞれ表示ラインを形成する複数の行電極対が設けられるとともに、背面基板の前面基板と空間を介して対向する側に列方向に延び行方向に並設されて前面基板との間の空間内の行電極対と交差する位置にそれぞれ放電セルを構成する複数の列電極が設けられて、この構成された複数の放電セル内に赤緑青の三原色の蛍光体層が順次形成されているプラズマディスプレイパネルにおいて、
前記前面基板と前記背面基板との間に配置されて列方向に延びる縦壁部と行方向に延びる横壁部によって、前記前面基板と前記背面基板との間の空間を前記放電セル毎に行方向と列方向に区画する隔壁を備え、
前記縦壁部は、赤色，緑色，青色の各色蛍光体層が形成されている前記放電セルを夫々色別に区画する隔壁であり、前記横壁部は、列方向に隣接する同一色の蛍光体層が形成されている前記放電セルを区画する隔壁であって、
赤色の蛍光体層が形成されている前記放電セルを区画する前記横壁部の列方向幅と緑色の蛍光体層が形成されている前記放電セルを区画する前記横壁部の列方向幅と青色の蛍光体層が形成されている前記放電セルを区画している前記横壁部の列方向幅がそれぞれ異なることによって、前記放電セルの前記前面基板側における開口面積が、赤緑青の各色の輝度に対応して、異なるように設定されていることを特徴とするプラズマディスプレイパネル。
【請求項２】
前記前面基板の背面側に形成されて前記行電極対を被覆する誘電体層の前記隔壁の横壁部に対向する部分に横壁部側に張り出すように形成された嵩上げ部を備え、
この嵩上げ部の列方向の幅が、対向している隔壁の横壁部の列方向の幅に対応して、異なるように設定されている請求項１に記載のプラズマディスプレイパネル。
【請求項３】
前記誘電体層の前記横壁部に対向する部分に横壁部側に張り出すように形成されて横壁部との間を閉じる嵩上げ部を備え、
この嵩上げ部と前記隔壁の縦壁部との間に隙間が形成されている請求項２に記載のプラズマディスプレイパネル。
【請求項４】
前記隔壁の縦壁部と横壁部の側面及び列電極が設けられた背面側の基板の内面に蛍光体層が形成されている請求項１記載のプラズマディスプレイパネル。
【請求項５】
前記隔壁の表示面側の基板に対向する部分に光吸収層が形成されている請求項１に記載のプラズマディスプレイパネル。
【請求項６】
二つの表示ラインにおいて隣り合う前記行電極のバス電極の間の部分に光吸収層が形成されている請求項１に記載のプラズマディスプレイバネル。
【請求項７】
前記行電極対を構成する各々の行電極は、放電セル毎に放電ギャップを介して対向する透明電極と、この放電ギャップとは反対側の縁部で透明電極と接続されたバス電極とで構成され、透明電極は放電セル毎に独立した島状に形成されている請求項１に記載のプラズマディスプレイパネル。
【発明の詳細な説明】
【０００１】
【発明の属する技術分野】
この発明は、面放電方式交流型のプラズマディスプレイパネルに関し、特に、ホワイトバランスの調整を行うためのプラズマディスプレイパネルのセル構造に関する。
【０００２】
【発明が解決しようとする課題】
近年、大型で且つ薄型のカラー画面表示装置として面放電方式交流型プラズマディスプレイパネル（以下、ＰＤＰという）が注目を集めており、その普及が図られて来ている。
【０００３】
図１８は、従来の交流型ＰＤＰの横成を、前面ガラス基板１側と背面ガラス基板４側とを分離した状態で示す斜視図である。
この図１８において、前面ガラス基板１の背面側には、複数の行電極対（Ｘ’，Ｙ’）が配列されて透明な誘電体層２により被覆されており、さらに、この誘電体層２の背面にＭｇＯからなる透明な保護層３が形成されている。
【０００４】
各行電極Ｘ’とＹ’は、それぞれ、幅の広いＩＴＯ等の透明導電膜からなる透明電極Ｘａ’，Ｙａ’と、その導電性を補う幅の狭い金属膜からなるバス電極Ｘｂ’，Ｙｂ’とから構成されていて、この行電極Ｘ’とＹ’の互いに対向する部分に等間隔に形成されたそれぞれの突起部Ｘａ”とＹａ”が放電ギャップｇ’を挟んで互いに対向するように、列方向に交互に配置されている。
【０００５】
この各行電極対（Ｘ’，Ｙ’）によって、マトリクス表示の一表示ライン（行）Ｌが構成される。
背面ガラス基板４の表示面側には、行電極対（Ｘ’，Ｙ’）と直交する方向に延びるように複数の列電極Ｄ’が配列され、この列電極Ｄ’間にそれぞれ平行に延びるように帯状の隔壁５が形成されており、さらに、この隔壁５の側面と列電極Ｄ’を被覆するようにそれぞれ赤（Ｒ）,緑（Ｇ）,青（Ｂ）の三原色に色分けされた蛍光体層６Ｒ,６Ｇ,６Ｂが列方向に順に形成されている。
【０００６】
そして、上記のように構成された前面ガラス基板１と背面ガラス基板４は、放電空間を介して互いに平行に対向され、この前面ガラス基板１と背面ガラス基板４との間に、ネオンとキセノン等を混合した放電ガスが封入される。
【０００７】
このようにして、各表示ラインＬにおいて、列電極Ｄ’が行電極対（Ｘ’，Ｙ’）と交差する部分に放電空間が隔壁５によって区画されることにより、後述するような単位発光領域となる放電セルがそれぞれ区画される。
【０００８】
上記の交流型ＰＤＰにおける画像の形成は、以下のようにして行われる。
すなわち、先ず、アドレス操作により、それぞれ蛍光体層６Ｒ,６Ｇ,６Ｂが形成された各放電セルにおいて、行電極対（Ｘ’，Ｙ’）と列電極Ｄ’との間で選択的に放電が行われ、点灯セル（誘電体層２に壁電荷が形成された放電セル）と消灯セル（誘電体層２に壁電荷が形成されなかった放電セル）とが、表示する画像に対応してパネル上に分布される。
【０００９】
このアドレス操作の後、全表示ラインＬにおいて一斉に、行電極対（Ｘ’，Ｙ’）に対して交互に放電維持パルスが印加され、この放電維持パルスが印加される毎に、点灯セル内において面放電が発生される。
【００１０】
このようにして、各点灯セルにおける面放電によって紫外線が発生して、その点灯セル内に形成されている蛍光体層６Ｒまたは６Ｇ,６Ｂがそれぞれ励起されて発光することにより、表示する画像が形成される。
【００１１】
上記のような交流型ＰＤＰは、ディスプレイを非常に薄くすることが出来るとともに高画質のカラー画面表示を行うことが出来るという優れた特性を備えているものである。
【００１２】
ここで、上記のような従来の交流型ＰＤＰにおいては、各放電セル毎に形成された赤（Ｒ）,緑（Ｇ）,青（Ｂ）の三原色を表示する蛍光体層６Ｒ,６Ｇ,６Ｂの発光輝度が互いに異なっているために、同一の発光面積を有する各色の放電セルにおいて同一の放電回数で放電を行った場合には、白色のカラー表示を行うことが難しくなる。
【００１３】
このため、従来は、ホワイトバランス（白色の色度）の調整を、各放電セルにおける放電回数を蛍光体層の色毎に調整しながら、三原色の輝度のバランスをとることによって行っている。
【００１４】
しかしながら、上記のような従来のホワイトバランスの調整方法では、各色毎に表示階調が異なってしまい、さらに、その表示階調数そのものも損われてしまうという問題があり、さらにまた，画面の輝度に一番影響が大きい緑色の表示階調が調整されることによって、画面のピーク輝度が減少しまうという問題が発生する。
【００１５】
例えば、蛍光体層６（Ｂ）が形成された放電セルにおける放電回数に対してそれぞれ蛍光体層６Ｒと６Ｇが形成された放電セルにおける放電回数を減少させた場合には、蛍光体層６Ｂの放電セルは、最大輝度の２５６階調までの表示が可能であるが、蛍光体層６Ｒと６Ｇの放電セルでは、それより低い階調までの発光輝度しか得られなくなってしまう。
【００１６】
このように、ホワイトバランスの調整を、各放電セルにおける放電回数を蛍光体層の色毎に調整することによって行う場合には、放電セルにおける発光による表示階調が赤緑青の各色毎に異なってしまい、階調表示品質が著しく損なわれてしまうことになる。
【００１７】
この発明は、上記のような従来の交流型ＰＤＰにおけるホワイトバランスを調整する際の問題点を解決するために為されたものである。
すなわち、この発明は、赤緑青の三原色の各階調レベルを低下させることなく適切なホワイトバランスの調整を行うことが出来るプラズマディスプレイパネルを提供することを目的としている。
【００１８】
【課題を解決するための手段】
本発明によるプラズマディスプレイパネルは、上記目的を達成するために、前面基板の背面側に行方向に延び列方向に並設されてそれぞれ表示ラインを形成する複数の行電極対が設けられるとともに、背面基板の前面基板と空間を介して対向する側に列方向に延び行方向に並設されて前面基板との間の空間内の行電極対と交差する位置にそれぞれ放電セルを構成する複数の列電極が設けられて、この構成された複数の放電セル内に赤緑青の三原色の蛍光体層が順次形成されているプラズマディスプレイパネルにおいて、前記前面基板と前記背面基板との間に配置されて列方向に延びる縦壁部と行方向に延びる横壁部によって、前記前面基板と前記背面基板との間の空間を前記放電セル毎に行方向と列方向に区画する隔壁を備え、前記縦壁部は、赤色，緑色，青色の各色蛍光体層が形成されている前記放電セルを夫々色別に区画する隔壁であり、前記横壁部は、列方向に隣接する同一色の蛍光体層が形成されている前記放電セルを区画する隔壁であって、赤色の蛍光体層が形成されている前記放電セルを区画する前記横壁部の列方向幅と緑色の蛍光体層が形成されている前記放電セルを区画する前記横壁部の列方向幅と青色の蛍光体層が形成されている前記放電セルを区画している前記横壁部の列方向幅がそれぞれ異なることによって、前記放電セルの前記前面基板側における開口面積が、赤緑青の各色の輝度に対応して、異なるように設定されていることを特徴としている。
【００１９】
この本発明によるプラズマディスプレイパネルは、各放電セルの開口面積の面積比率が青,緑,赤の所定の相対輝度比率に対応するように設定される。この本発明によれば、ホワイトバランスの調整に必要な面放電による発光の際の各放電セル間における相対的な発光輝度の調整を、各放電セルの開口面積比だけで行うことが出来るようになる。
【００２０】
したがって、従来のようなホワイトバランスの調整のために蛍光体層の色毎に放電回数を調整する方法と比べて、蛍光体層の輝度が大きい放電セルに合せるために蛍光体層の輝度が小さい放電セルにおける放電回数を増加させたりする必要がなく、ホワイトバランスの調整のために放電電流が増加することは無い。
【００２１】
また反対に、蛍光体層の輝度が小さい放電セルに合せるために蛍光体層の輝度が大きい放電セルにおける放電回数を減少させる必要も無くなるので、ホワイトバランスの調整に伴う画面の輝度低下の虞も無い。
【００２２】
さらに、三原色の各色毎の表示階調が一定となり、その表示階調数が損われる虞が無くなるので、表示画面の品質の向上される。
そして、各放電セルにおける放電回数の調整のための信号処理が不要になるので、ＰＤＰの駆動回路構成を簡易にすることが出来る。
【００２４】
また、この本発明によるプラズマディスプレイパネルは、放電セルが前面基板と背面基板との間に配置されたロの字状の隔壁によって区画されており、隔壁の放電セルを列方向において区画している横壁部の列方向の幅が、この横壁部が区画している放電セルの蛍光体層の色の輝度に対応して設定されることによって、放電セルの前面基板側における開口面積が、赤緑青の所定の相対輝度比率に対応するように設定されている。
【００２５】
これによって、赤緑青の三原色の各階調レベルを低下させることなく適切なホワイトバランスの調整を行うことが出来るプラズマディスプレイパネルを提供することが出来るようになる。
【００２６】
また、本発明によるプラズマディスプレイパネルは、前記目的を達成するために、前述の特徴に加えて、前記前面基板の背面側に形成されて前記行電極対を被覆する誘電体層の前記隔壁の横壁部に対向する部分に横壁部側に張り出すように形成された嵩上げ部を備え、この嵩上げ部の列方向の幅が、対向している隔壁の横壁部の列方向の幅に対応して、異なるように設定されていることを特徴としている。
【００２７】
この本発明によるプラズマディスプレイパネルは、蛍光体層の色毎に、前面基板と背面基板の間の空間が、ロの字状の隔壁とこの隔壁の横壁部に対向するように誘電体層に形成された嵩上げ部によって区画されて放電セルが形成されている。
【００２８】
そして、この隔壁の横壁部とこの横壁部に対向する誘電体層の嵩上げ部の列方向の幅が、区画している放電セルの蛍光体層の色の輝度に対応して設定されることによって、放電セルの前面基板側における開口面積が、赤緑青の所定の相対輝度比率に対応するように設定されており、これによって、赤緑青の三原色の各階調レベルを低下させることなく適切なホワイトバランスの調整を行うことが出来る。
【００３５】
また、本発明によるプラズマディスプレイパネルは、前記誘電体層の前記横壁部に対向する部分に横壁部側に張り出すように形成されて横壁部との間を閉じる嵩上げ部を備え、この嵩上げ部と前記隔壁の縦壁部との間に隙間が形成されていることを特徴としている。
【００３６】
この発明によれば、列方向において隣接する放電セル間において放電の干渉が生じて誤放電が発生するのを防止することが出来、これによって、画面の高精細化を図ることが可能になる。
【００３７】
また、本発明によるプラズマディスプレイパネルは、前記隔壁の縦壁部と横壁部の側面及び列電極が設けられた背面側の基板の内面に蛍光体層が形成されていることを特徴としている。
【００３８】
この発明によれば、蛍光体層が、放電セルに面する五面に形成されていることにより、蛍光体層の表面積すなわち発光面積が従来のプラズマディスプレイパネルと比較して拡大され、これによって、放電セル一つ当たりの輝度がそれぞれ増大して、従来のものと比較した場合に表示画面の輝度を向上させることが出来る一方、画面の精細度を上げるために各放電セルのサイズを小さくしても、表示画面の輝度が従来のものと比べて低下してしまうことがない。
【００３９】
また、本発明によるプラズマディスプレイパネルは、前記隔壁の表示面側の基板に対向する部分に光吸収層が形成されていることを特徴としている。この発明によれば、前面基板を通して入射してくる外光が隔壁に形成された光吸収層によって吸収されることにより、反射が防止されるので、表示画面のコントラストを向上させることができる。
【００４０】
また、本発明によるプラズマディスプレイパネルは、二つの表示ラインにおいて隣り合う前記行電極のバス電極の間の部分に光吸収層が形成されていることを特徴としている。この発明によれば、前面基板を通して入射してくる外光が行電極のバス電極の間の部分に形成された光吸収層によって吸収されることにより、反射が防止されるので、表示画面のコントラストを向上させることができる。
【００４１】
また、本発明によるプラズマディスプレイパネルは、前記行電極対を構成する各々の行電極は、放電セル毎に放電ギャップを介して対向する透明電極と、この放電ギャップとは反対側の縁部で透明電極と接続されたバス電極とで構成され、透明電極は放電セル毎に独立した島状に形成されていることを特徴としている。この発明によれば、行電極対を構成するそれぞれの透明電極が放電セル毎に島状に独立するように構成されているために、画面の精細度を上げるために各放電セルのサイズを小さくしても、行方向において隣接する放電セルヘの放電の干渉が生じる虞は無い。
【００４２】
【発明の実施の形態】
以下、この発明の最も好適と思われる実施の形態について、図面を参照しながら詳細に説明を行う。
【００４３】
図１ないし７は、この発明によるプラズマディスプレイパネル（以下、ＰＤＰという）の実施形態の第１の例を示すものであって、図１はＰＤＰの行電極対と隔壁との関係を模式的に表す平面図であり、図２は図１のＶ１−Ｖ１線における断面図、図３は図１のＶ２−Ｖ２線における断面図、図４は図１のＶ３−Ｖ３線における断面図、図５は図１のＶ４−Ｖ４線における断面図、図６は図１のＷ１−Ｗ１線における断面図、図７は図１のＷ２−Ｗ２線における断面図である。
【００４４】
この図１ないし５に示されるＰＤＰは、図１８の従来のＰＤＰと同様に背面ガラス基板側に蛍光体層が形成された反射型と呼ばれる交流駆動方式の面放電型ＰＤＰである。
図１ないし７において、表示面である前面ガラス基板１０の背面に、複数の行電極対（Ｘ，Ｙ）が、前面ガラス基板１０の行方向（図１の左右方向）に延びるように平行に配列されている。
【００４５】
行電極Ｘは、Ｔ字形状に形成されたＩＴＯ等の透明導電膜からなる透明電極Ｘａと、前面ガラス基板１０の行方向に延びて透明電極Ｘａの狭小の基端部に接続された金属膜からなるバス電極Ｘｂによって構成されている。
【００４６】
行電極Ｙも同様に、Ｔ字形状に形成されたＩＴＯ等の透明導電膜からなる透明電極Ｙａと、前面ガラス基板１０の行方向に延びて透明電極Ｙａの狭小の基端部に接続された金属膜からなるバス電極Ｙｂによって構成されている。
【００４７】
この行電極ＸとＹは、前面ガラス基板１０の列方向（図１の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【００４８】
バス電極Ｘｂ，Ｙｂは、それぞれ表示面側に形成された黒色導電層Ｘｂ’，Ｙｂ’と背面側に形成された主導電層Ｘｂ”，Ｙｂ”によって二層構造になるように構成されている。
【００４９】
前面ガラス基板１０の背面には、さらに、行電極対（Ｘ，Ｙ）を被覆するように誘電体層１１が形成されている。
そして、隣接する行電極対（Ｘ，Ｙ）の背中合わせに位置するバス電極ＸｂとＹｂに対向する誘電体層１１の背面部分に、図２に示されるように列方向（図１の上下方向）に幅ｍ１を有する誘電体層１１Ａ１と、図３に示されるように列方向に幅ｍ２を有する誘電体層１１Ａ２と、図４に示されるように列方向に幅ｍ３を有する誘電体層１１Ａ３が、それぞれバス電極Ｘｂ，Ｙｂと平行方向（行方向）に延びるように、図１の左側から順に繰り返し形成されている。
【００５０】
この各嵩上げ誘電体層１１Ａ１,１１Ａ２,１１Ａ３の幅は、ｍ２＞ｍ３＞ｍ１の関係になるように設定されている。
そして、この誘電体層１１と嵩上げ誘電体層１１Ａ１,１１Ａ２,１１Ａ３の背面側には、ＭｇＯからなる保護層１２が形成されている。
【００５１】
一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００５２】
背面ガラス基板１３の表示側の面上には、さらに、列電極Ｄを被覆する白色の誘電体層１４が形成され、この誘電体層１４上に、隔壁１５が形成されている。
隔壁１５は、互いに平行に配列された各列電極Ｄの間の位置において列方向に延びる縦壁１５ａと、嵩上げ誘電体層１１Ａ１,１１Ａ２,１１Ａ３に対向する位置において行方向に延びる横壁１５ｂとによって井桁状（すなわち、ロの字状）に形成されている。
【００５３】
この横壁１５ｂは、それぞれ、嵩上げ誘電体層１１Ａ１に対向する部分１５ｂ１が嵩上げ誘電体層１１Ａ１と同一の幅ｍ１になるように、嵩上げ誘電体層１１Ａ２に対向する部分１５ｂ２が嵩上げ誘電体層１１Ａ２と同一の幅ｍ２になるように、そして、嵩上げ誘電体層１１Ａ３に対向する部分１５ｂ３が嵩上げ誘電体層１１Ａ３と同一の幅ｍ３になるように成形されている。
【００５４】
そして、この井桁状（ロの字状）の隔壁１５によって、前面ガラス基板１０と背面ガラス基板１３の間の空間が、各行電極対（Ｘ，Ｙ）において対となった透明電極ＸａとＹａに対向する部分毎に区画されて、図１の左側から順に、方形の放電セルＣＢ,ＣＧ,ＣＲが形成されている。
【００５５】
これら放電セルＣＢ,ＣＧ,ＣＲの行方向の幅ｕは何れも同寸法になるように設定されているが、放電セルＣＢの列方向の幅ｎ１と放電セルＣＧの列方向の幅ｎ２と放電セルＣＲの列方向の幅ｎ３は、各放電セルＣＢ,ＣＧ,ＣＲを区画する横壁１５ｂの各部分１５ｂ１,１５ｂ２,１５ｂ３の幅ｍ１,ｍ２,ｍ３が、前述したようにｍ２＞ｍ３＞ｍ１の関係にあることから、ｎ１＞ｎ３＞ｎ２の関係となる。
【００５６】
したがって、前面ガラス基板１０の表示面における放電セルＣＢの開口面積ＳＢおよび放電セルＣＧの開口面積ＳＧ,放電セルＣＲの開口面積ＳＲは、ＳＢ＞ＳＧ＞ＳＲの関係を有するようになる。
【００５７】
この隔壁１５は、その表示面側に形成されたが黒色層（光吸収層）１５’と背面側の白色層（光反射層）１５”の二層構造に形成されており、それぞれ放電セルＣＢ,ＣＧ,ＣＲ内に面する側壁面がほぼ白色（すなわち、光反射層）になるように構成されている。
【００５８】
隔壁１５の縦壁１５ａの表示側の面は保護層１２に当接されておらず（図６参照）、その間に隙間ｓが形成されているが、横壁１５ｂの表示側の面が保護層１２のそれぞれ嵩上げ誘電体層１１Ａ１,１１Ａ２,１１Ａ３を被覆している部分に当接されていて（図２ないし４,７参照）、列方向において隣接する各放電セルＣＢ,ＣＧ,ＣＲの間がそれぞれ遮蔽されている。
【００５９】
各放電セルＣＢ,ＣＧ,ＣＲ内に面する隔壁１５の縦壁１５ａおよび横壁１５ｂの側面と誘電体層１４の表面には、これらの五つの面を全て覆うように、放電セルＣＢについては青色の蛍光体層１６Ｂが、放電セルＣＧについては緑色の蛍光体層１６Ｇが、そして、放電セルＣＲについては赤色の蛍光体層１６Ｒが、それぞれ形成されている。
【００６０】
そして、各放電セルＣ内には、ネオンとキセノン等を混合した放電ガスが封入されている。
上記のＰＤＰは、行電極対（Ｘ，Ｙ）がそれぞれマトリクス表示画面の１表示ライン（行）Ｌが構成され、また、互いに隣接する放電セルＣＢ,ＣＧ,ＣＲによって一画素が構成される。
【００６１】
このＰＤＰにおける画像表示は、従来のＰＤＰと同様に行われる。
すなわち、先ず、アドレス操作により、各放電セルＣにおいて行電極対（Ｘ，Ｙ）と列電極Ｄとの間で選択的に放電が行われ、全表示ラインＬに点灯セル（誘電体層１１に壁電荷が形成された放電セル）と消灯セル（誘電体層１１に壁電荷が形成されなかった放電セル）とが、表示する画像に対応して、パネル上に分布される。
【００６２】
このアドレス操作の後、全表示ラインＬにおいて一斉に、行電極対（Ｘ，Ｙ）に対して交互に放電維持パルスが印加され、この放電維持パルスが印加される毎に、各点灯セルにおいて面放電が発生される。
【００６３】
以上のようにして、各点灯セルにおいて行われる面放電によって紫外線が発生され、各放電セルＣＢ,ＣＧ,ＣＲ内の蛍光体層１６Ｂ,１６Ｇ,１６Ｒが選択的に励起されて発光することにより各画素からの発光色が決定されて、表示面に表示される画像が形成される。
【００６４】
上記ＰＤＰは、前述したように、発光輝度が相対的に最も小さい青色の蛍光体層１６Ｂが形成されている放電セルＣＢの開口面積ＳＢが最も大きくなるように形成され、次に発光輝度が小さい赤色の蛍光体層１６Ｒが形成されている放電セルＣＲの開口面積ＳＲが大きくなるように形成され、発光輝度が相対的に最も大きい緑色の蛍光体層１６Ｇが形成されている放電セルＣＧの開口面積ＳＧが最も小さくなるように形成されるので、各放電セルＣＢ,ＣＧ,ＣＲの開口面積ＳＢ,ＳＧ,ＳＲの面積比率を青,緑,赤の所定の相対輝度比率に対応するように設定することにより、ホワイトバランスの調整に必要な面放電による発光の際の各放電セル間における相対的な発光輝度の調整を、各放電セルＣＢ,ＣＧ,ＣＲの開口面積比だけで行うことが出来るようになる。
【００６５】
なお、上記の開口面積とは、各色の放電セルの隔壁によって区画された放電空間の大きさを意味するものであり、各放電セルＣＢ,ＣＧ,ＣＲの開口面積ＳＢ,ＳＧ,ＳＲの面積比率を青,緑,赤の所定の相対輝度比率に対応するように設定することは、すなわち、各放電セルＣＢ,ＣＧ,ＣＲの放電空間の大きさ（体積）を青,赤,緑の所定の相対輝度比率に対応して設定することを意味する。
【００６６】
したがって、従来のようなホワイトバランスの調整のために蛍光体層の色毎に放電回数を調整する方法と比べて、蛍光体層の輝度が大きい放電セルに合せるために蛍光体層の輝度が小さい放電セルにおける放電回数を増加させたりする必要がなく、ホワイトバランスの調整のために放電電流が増加することは無い。
【００６７】
また反対に、蛍光体層の輝度が小さい放電セルに合せるために蛍光体層の輝度が大きい放電セルにおける放電回数を減少させる必要も無くなるので、ホワイトバランスの調整に伴う画面の輝度低下の虞も無い。
【００６８】
さらに、三原色の各色毎の表示階調が一定となり、その表示階調数が損われる虞が無くなるので、表示画面の品質の向上される。
【００６９】
そして、各放電セルにおける放電回数の調整のための信号処理が不要になるので、ＰＤＰの駆動回路構成を簡易にすることが出来る。
そしてさらに、上記ＰＤＰは、隔壁１５の表示側の面に黒色層１５’が形成されており、バス電極Ｘｂ，Ｙｂのそれぞれの表示面側に黒色導電層Ｘｂ’，Ｙｂ’が形成されていることによって、前面ガラス基板１０を通して入射してくる外光が反射されるのを防止することが出来、これによって、前面ガラス基板１０の表示面の外光反射率を効率良く押さえることが出来る。
【００７０】
なお、上記の例のＰＤＰにおいては、隔壁１５の縦壁１５ａの幅は一定にしておいて横壁１５ｂの幅を異ならせることにより、放電セルＣＢ,ＣＧ,ＣＲのそれぞれの開口面積ＳＢ,ＳＧ,ＳＲを互いに異ならせるようにしたが、放電セルＣＢ,ＣＧ,ＣＲのそれぞれの開口面積ＳＢ,ＳＧ,ＳＲを互いに異ならせるために、縦壁１５ａの幅も異ならせるようにしても良い。
【００７１】
次に、この発明の実施形態における第２の例を、図８に基づいて説明する。
図８は、この第２の例におけるＰＤＰの行電極対と隔壁との関係を模式的に表す平面図である。
【００７２】
この第２の例のＰＤＰは、図１ないし７の第１の例におけるＰＤＰの行電極ＸとＹが列方向に交互に配置されていたのに対し、列方向に配列された表示ラインＬi，Ｌi+1…において、行電極が、（Ｙi，Ｘi），（Ｘi+1，Ｙi+1）…というように、表示ライン毎に交互にその配置が入れ替えられて配列されており、さらに、列方向において隣接する表示ラインＬi，Ｌi+1において、行電極対（Ｙi, Ｘi）と（Ｘi+1，Ｙi+1）の互いに背中合わせに配置される行電極ＸiとＸi+1 のそれぞれ透明電極ＸａiとＸａi+1 とが、共通のバス電極Ｘｂｊに接続されている。
【００７３】
したがって、この第２の例におけるＰＤＰは、隣接する表示ラインにおいて、互いに背中合わせに配置される行電極ＸiとＸi+1 が、バス電極Ｘｂｊを共用することによって、このバス電極Ｘｂｊの設置面積が第１の例と比較して小さくなり、その分、各放電セルＣＢ,ＣＧ,ＣＲの容積を大きくして、この放電セルＣＢ,ＣＧ,ＣＲ内に形成される蛍光体層の表面積を大きくすることができるので、表示画面の輝度が増加する。
【００７４】
この第２の例におけるＰＤＰも、第１の例のＰＤＰと同様に、図８において表示ラインＬi，Ｌi+1に沿って左方向から順に配列された放電セルＣＢ,ＣＧ,ＣＲのそれぞれの開口面積ＳＢ,ＳＧ,ＳＲが、ＳＢ＞ＳＧ＞ＳＲの関係となるように設定されている。
【００７５】
すなわち、井桁状に成形された隔壁２５は、互いに背中合わせに配置されている一対の行電極Ｙi+1とＹi+2のそれぞれのバス電極Ｙｂi+1とＹｂi+2に対向している横壁２５ｂの放電セルＣＢを区画している部分２５ｂ１の列方向（図８の上下方向）の幅が第１の例と同様にｍ１に、放電セルＣＧを区画している部分２５ｂ２の列方向の幅がｍ２に、そして、放電セルＣＢを区画している部分２５ｃ３の列方向の幅がｍ３にそれぞれなるように設定されている。
【００７６】
さらに、この隔壁２５の共通のバス電極Ｘｂｊに対向している横壁２５ｂ’の放電セルＣＢを区画している部分２５ｂ１’の列方向の幅が、横壁２５ｂの部分２５ｂ１の幅ｍ１よりもバス電極Ｘｂｊの共用によってその設置面積が小さくなっている分だけ小さい幅ｍ１’に、放電セルＣＧを区画している部分２５ｂ２’の列方向の幅が、同様に、横壁２５ｂの部分２５ｂ２の幅ｍ２よりも小さい幅ｍ２’に、そして、放電セルＣＢを区画している部分２５ｂ３’の列方向の幅が横壁２５ｂの部分２５ｂ３の幅ｍ３よりも小さい幅ｍ３’に、それぞれ設定されている。
【００７７】
そして、前面ガラス基板の背面側の誘電体層に第１の例と同様に形成された嵩上げ誘電体層のそれぞれ隔壁２５の横壁２５ｂの各部分２５ｂ１,２５ｂ２,２５ｂ３に対向する部分が、この各部分２５ｂ１,２５ｂ２,２５ｂ３のそれぞれの幅ｍ１,ｍ２,ｍ３と同一の幅になるように設定されており、さらに、横壁２５ｂ’の各部分２５ｂ１’,２５ｂ２’,２５ｂ３’に対向する部分が、この各部分２５ｂ１’,２５ｂ２’,２５ｂ３’のそれぞれの幅ｍ１’,ｍ２’,ｍ３’と同一の幅になるように設定されている。
【００７８】
以上のようにして、各放電セルＣＢ,ＣＧ,ＣＲの行方向の幅が何れも同寸法のｕになるように設定され、各放電セルＣＢ,ＣＧ,ＣＲを区画する横壁２５ｂの各部分１５ｂ１,１５ｂ２,１５ｂ３の幅ｍ１,ｍ２,ｍ３がｍ２＞ｍ３＞ｍ１の関係に、横壁２５ｂ’の各部分１５ｂ１’,１５ｂ２’,１５ｂ３’の幅ｍ１’,ｍ２’,ｍ３’がｍ２’＞ｍ３’＞ｍ１’の関係にそれぞれなっていることから、放電セルＣＢの列方向の幅ｎ１および放電セルＣＧの列方向の幅ｎ２,放電セルＣＲの列方向の幅ｎ３がｎ１＞ｎ３＞ｎ２の関係となって、前面ガラス基板１０の表示面における放電セルＣＢの開口面積ＳＢおよび放電セルＣＧの開口面積ＳＧ,放電セルＣＲの開口面積ＳＲは、ＳＢ＞ＳＧ＞ＳＲの関係を有するようになる。
【００７９】
上記ＰＤＰは、第１の例のＰＤＰと同様に、発光輝度が相対的に最も小さい青色の蛍光体層が形成されている放電セルＣＢの開口面積ＳＢが最も大きくなるように形成され、次に発光輝度が小さい赤色の蛍光体層が形成されている放電セルＣＲの開口面積ＳＲが大きくなるように形成され、発光輝度が相対的に最も大きい緑色の蛍光体層が形成されている放電セルＣＧの開口面積ＳＧが最も小さくなるように形成されるので、各放電セルＣＢ,ＣＧ,ＣＲの開口面積ＳＢ,ＳＧ,ＳＲの面積比率を青,緑,赤の所定の相対輝度比率に対応するように設定することにより、ホワイトバランスの調整に必要な面放電による発光の際の各放電セル間における相対的な発光輝度の調整を、各放電セルＣＢ,ＣＧ,ＣＲの開口面積比だけで行うことが出来るようになる。
【００８０】
したがって、従来のようなホワイトバランスの調整のために蛍光体層の色毎に放電回数を調整する方法と比べて、蛍光体層の輝度が大きい放電セルに合せるために蛍光体層の輝度が小さい放電セルにおける放電回数を増加させたりする必要がなく、ホワイトバランスの調整のために放電電流が増加することは無い。
【００８１】
また反対に、蛍光体層の輝度が小さい放電セルに合せるために蛍光体層の輝度が大きい放電セルにおける放電回数を減少させる必要も無くなるので、ホワイトバランスの調整に伴う画面の輝度低下の虞も無い。
【００８２】
さらに、三原色の各色毎の表示階調が一定となり、その表示階調数が損われる虞が無くなるので、表示画面の品質の向上される。
そして、各放電セルにおける放電回数の調整のための信号処理が不要になるので、ＰＤＰの駆動回路構成を簡易にすることが出来る。
【００８３】
なお、上記の例のＰＤＰにおいては、隔壁２５の縦壁２５ａの幅は一定にしておいて横壁２５ｂ,２５ｂ’の幅を異ならせることにより、放電セルＣＢ,ＣＧ,ＣＲのそれぞれの開口面積ＳＢ,ＳＧ,ＳＲを互いに異ならせるようにしたが、放電セルＣＢ,ＣＧ,ＣＲのそれぞれの開口面積ＳＢ,ＳＧ,ＳＲを互いに異ならせるために、縦壁２５ａの幅も異ならせるようにしても良い。
【００８４】
次に、この発明の実施形態における第３の例を、図９に基づいて説明する。
図９は、この第３の例におけるＰＤＰの行電極対と隔壁との関係を模式的に表す平面図である。
【００８５】
この第３の例のＰＤＰは、図１ないし７の第１の例におけるＰＤＰの行電極ＸとＹが列方向に交互に配置されていたのに対し、列方向に配列された表示ラインＬi-1’,Ｌi’，Ｌi+1’…において、行電極が、（Ｙi-1’，Ｘi-1’），（Ｘi’，Ｙi’）…というように、表示ライン毎に交互にその配置が入れ替えられて配列されており、さらに、列方向において隣接する表示ラインＬi-1,Ｌi，Ｌi+1において、行電極対（Ｙi-1’, Ｘi-1’）と（Ｘi’, Ｙi’）の互いに背中合わせに配置される行電極Ｘi-1’とＸi’ のそれぞれ透明電極Ｘａi-1’とＸａi’ とが共通のバス電極Ｘｂｊ’に接続されており、さらに、行電極対（Ｘi’, Ｙi’）と（Ｙi+1’，Ｘi+1’）の互いに背中合わせに配置される行電極Ｙi’とＹi+1’ のそれぞれ透明電極Ｙａi’とＹａi+1 ’とが、共通のバス電極Ｙｂｊ’に接続されている。
【００８６】
したがって、この第３の例におけるＰＤＰは、隣接する表示ラインにおいて、互いに背中合わせに配置される行電極対Ｘi’とＹi’ が、それぞれバス電極Ｘｂｊ’,Ｙｂｊ’を共用することによって、このバス電極Ｘｂｊ,Ｙｂｊ’の設置面積が第１の例と比較して小さくなり、その分、各放電セルＣＢ,ＣＧ,ＣＲの容積を大きくして、この放電セルＣＢ,ＣＧ,ＣＲ内に形成される蛍光体層の表面積を大きくすることができるので、表示画面の輝度が増加する。
【００８７】
この第３の例におけるＰＤＰも、第１の例のＰＤＰと同様に、図９において表示ラインＬi，Ｌi+1に沿って左方向から順に配列された放電セルＣＢ,ＣＧ,ＣＲのそれぞれの開口面積ＳＢ,ＳＧ,ＳＲが、ＳＢ＞ＳＧ＞ＳＲの関係となるように設定されている。
【００８８】
すなわち、井桁状に成形された隔壁２５’は、共通のバス電極Ｘｂｊ’,Ｙｂｊ’に対向している横壁２５ｂ’の放電セルＣＢを区画している部分２５ｂ１’の列方向の幅が幅ｍ１’に、放電セルＣＧを区画している部分２５ｂ２’の列方向の幅が幅ｍ２’に、そして、放電セルＣＢを区画している部分２５ｂ３’の列方向の幅が幅ｍ３’に、それぞれ設定されている。
【００８９】
そして、前面ガラス基板の背面側の誘電体層に第１の例と同様に形成された嵩上げ誘電体層のそれぞれ隔壁２５’の横壁２５ｂ’の各部分２５ｂ１’,２５ｂ２’,２５ｂ３’に対向する部分が、この各部分２５ｂ１’,２５ｂ２’,２５ｂ３’のそれぞれの幅ｍ１’,ｍ２’,ｍ３’と同一の幅になるように設定されている。
【００９０】
以上のようにして、各放電セルＣＢ,ＣＧ,ＣＲの行方向の幅が何れも同寸法のｕになるように設定され、各放電セルＣＢ,ＣＧ,ＣＲを区画する横壁２５ｂ’の各部分２５ｂ１’,２５ｂ２’,２５ｂ３’の幅ｍ１’,ｍ２’,ｍ３’がｍ２’＞ｍ３’＞ｍ１’の関係にそれぞれなっていることから、放電セルＣＢの列方向の幅ｎ１および放電セルＣＧの列方向の幅ｎ２,放電セルＣＲの列方向の幅ｎ３がｎ１＞ｎ３＞ｎ２の関係となって、前面ガラス基板の表示面における放電セルＣＢの開口面積ＳＢおよび放電セルＣＧの開口面積ＳＧ,放電セルＣＲの開口面積ＳＲは、ＳＢ＞ＳＧ＞ＳＲの関係を有するようになる。
【００９１】
上記ＰＤＰは、第１の例のＰＤＰと同様に、発光輝度が相対的に最も小さい青色の蛍光体層が形成されている放電セルＣＢの開口面積ＳＢが最も大きくなるように形成され、次に発光輝度が小さい赤色の蛍光体層が形成されている放電セルＣＲの開口面積ＳＲが大きくなるように形成され、発光輝度が相対的に最も大きい緑色の蛍光体層が形成されている放電セルＣＧの開口面積ＳＧが最も小さくなるように形成されるので、各放電セルＣＢ,ＣＧ,ＣＲの開口面積ＳＢ,ＳＧ,ＳＲの面積比率を青,緑,赤の所定の相対輝度比率に対応するように設定することにより、ホワイトバランスの調整に必要な面放電による発光の際の各放電セル間における相対的な発光輝度の調整を、各放電セルＣＢ,ＣＧ,ＣＲの開口面積比だけで行うことが出来るようになる。
【００９２】
したがって、従来のようなホワイトバランスの調整のために蛍光体層の色毎に放電回数を調整する方法と比べて、蛍光体層の輝度が大きい放電セルに合せるために蛍光体層の輝度が小さい放電セルにおける放電回数を増加させたりする必要がなく、ホワイトバランスの調整のために放電電流が増加することは無い。
【００９３】
また反対に、蛍光体層の輝度が小さい放電セルに合せるために蛍光体層の輝度が大きい放電セルにおける放電回数を減少させる必要も無くなるので、ホワイトバランスの調整に伴う画面の輝度低下の虞も無い。
【００９４】
さらに、三原色の各色毎の表示階調が一定となり、その表示階調数が損われる虞が無くなるので、表示画面の品質の向上される。
そして、各放電セルにおける放電回数の調整のための信号処理が不要になるので、ＰＤＰの駆動回路構成を簡易にすることが出来る。
【００９５】
なお、上記の例のＰＤＰにおいては、隔壁２５’の縦壁２５ａ’の幅は一定にしておいて横壁２５ｂ’の幅を異ならせることにより、放電セルＣＢ,ＣＧ,ＣＲのそれぞれの開口面積ＳＢ,ＳＧ,ＳＲを互いに異ならせるようにしたが、放電セルＣＢ,ＣＧ,ＣＲのそれぞれの開口面積ＳＢ,ＳＧ,ＳＲを互いに異ならせるために、縦壁２５ａ’の幅も異ならせるようにしても良い。
【００９６】
図１０は、この発明の実施形態の第４の例を示したもので、この例におけるＰＤＰは、図９の第３の例におけるＰＤＰの変形例である。
すなわち、この第４の例のＰＤＰは、図９のＰＤＰの隣接する表示ラインにおいて、互いに背中合わせに配置される行電極Ｘi-1’とＸi’の透明電極Ｘai-1’とＸai’のそれぞれの基端部を連結して一体的に形成し、さらに、行電極Ｙi’とＹi+1’のそれぞれの透明電極Ｙai’とＹai+1’の基端部を連結して一体的に形成したものであり、他の構成は、第３の例のＰＤＰと同様であり、同様の作用効果を有している。
【００９７】
次に、この発明の実施形態における第５の例を、図１１ないし１５に基づいて説明する。
図１１はこの第５の例のＰＤＰの行電極対と隔壁との関係を模式的に表す平面図であり、図１２は図１１のＶ５−Ｖ５線における断面図、図１３は図１１のＶ６−Ｖ６線における断面図、図１４は図１１のＷ３−Ｗ３線における断面図、図１５は図１１のＷ４−Ｗ４線における断面図である。
【００９８】
この図１１ないし１５に示されるＰＤＰは、前面ガラス基板１０の背面に行電極対（Ｘ１，Ｙ１）が図１ないし７の第１の例のＰＤＰと同様の態様で配列されている。
【００９９】
そして、前面ガラス基板１０の背面には、列方向において隣接する行電極対（Ｘ１，Ｙ１）のそれぞれの互いに背中合わせになったバス電極Ｘ１ｂとＹ１ｂの間に、このバス電極Ｘ１ｂ，Ｙ１ｂに沿って行方向に延びる黒色の光吸収層（遮光層）３０が形成されており、さらに、井桁状の隔壁３５の縦壁３５ａに対向する部分に、光吸収層（遮光層）３１が形成されている。
【０１００】
隔壁３５は、第１の例の場合と異なり、白色の一層構造で形成されている。
その他の部分の構成については、第１の例の場合と同様であり、図１ないし５と同様の符号が付されている。
【０１０１】
上記ＰＤＰは、前面ガラス基板１０の背面の放電セルＣＢ,ＣＧ,ＣＲに対向する部分以外の部分が、光吸収層（遮光層）３０，３１および二層構造に形成されたバス電極Ｘ１ｂ，Ｙ１ｂの黒色導電層Ｘ１ｂ’，Ｙ１ｂ’によってカバーされていることにより、前面ガラス基板１０を通して入射してくる外光が反射されるのを防止して、表示画面のコントラストを向上させることができる。
【０１０２】
なお、この例において、光吸収層（遮光層）３０と３１のうち何れか一方のみを形成するようにしてもよい。
また、前面ガラス基板１０の背面に、対向する放電セルＣＢ,ＣＧ,ＣＲ内の蛍光体層の各色（青，緑，赤）に対応する色のカラーフィルタ層（図示せず）を、各放電セルＣＢ,ＣＧ,ＣＲ毎に形成することも出来る。
【０１０３】
この場合、光吸収層（遮光層）３０，３１は、各放電セルＣＢ,ＣＧ,ＣＲに対向するように島状に形成されたカラーフィルタ層の間隙またはこの間隙に対応する位置に形成される。
【０１０４】
そして、この第５の例におけるＰＤＰも、第１の例のＰＤＰと同様に、図１１において表示ラインＬに沿って左方向から順に配列された放電セルＣＢ,ＣＧ,ＣＲのそれぞれの開口面積ＳＢ,ＳＧ,ＳＲが、ＳＢ＞ＳＧ＞ＳＲの関係となるように設定されている。
【０１０５】
すなわち、井桁状に成形された隔壁３５は、互いに背中合わせに配置されている一対の行電極Ｘ１とＹ１のそれぞれのバス電極Ｘ１ｂとＹ１ｂに対向している横壁３５ｂの放電セルＣＢを区画している部分３５ｂ１の列方向（図１１の上下方向）の幅が第１の例と同様にｍ１に、放電セルＣＧを区画している部分３５ｂ２の列方向の幅がｍ２に、そして、放電セルＣＢを区画している部分３５ｃ３の列方向の幅がｍ３にそれぞれなるように設定されている。
【０１０６】
この各幅ｍ１,ｍ２,ｍ３の大きさは、第１の例と同様に、ｍ２＞ｍ３＞ｍ１の関係にある。
そして、バス電極Ｘ１ｂとＹ１ｂの放電セルＣＧに隣接している部分Ｘ１ｂ２とＹ１ｂ２の列方向の幅ｒ２および放電セルＣＧに隣接している部分Ｘ１ｂ３とＹ１ｂ３の列方向の幅ｒ３が、放電セルＣＢに隣接している部分Ｘ１ｂ１,Ｙ１ｂ１の幅ｒ１よりもそれぞれ横壁３５ｂの部分３５ｂ１，３５ｂ２,３５ｂ３の幅ｍ１,ｍ２,ｍ３の大きさに対応して大きくなるように設定されている。
【０１０７】
すなわち、バス電極Ｘ１ｂの各部分Ｘ１ｂ１,Ｘ１ｂ２,Ｘ１ｂ３とバス電極Ｙ１ｂの各部分Ｙ１ｂ１,Ｙ１ｂ２,Ｙ１ｂ３のそれぞれの幅ｒ１,ｒ２,ｒ３の大きさが、横壁３５ｂの部分３５ｂ１，３５ｂ２,３５ｂ３の幅ｍ１,ｍ２,ｍ３と同様にｒ２＞ｒ３＞ｒ１の関係になって、バス電極Ｘ１ｂとＹ１ｂのそれぞれの放電セルＣＢ,ＣＧ,ＣＲ側に向いた側部が凹凸形状に成形されている。
【０１０８】
そして、前面ガラス基板１０の背面側の誘電体層１１に、第１の例と同様に、それぞれ隔壁３５の横壁３５ｂの各部分３５ｂ１,３５ｂ２,３５ｂ３に対向するように形成された嵩上げ誘電体層１１Ａ１,１１Ａ２,１１Ａ３のそれぞれの幅が、対向している横壁３５ｂの各部分３５ｂ１,３５ｂ２,３５ｂ３の幅ｍ１,ｍ２,ｍ３と同一の幅になるように設定されている。
なお、図面には、図１２と１３に、嵩上げ誘電体層１１Ａ１,１１Ａ２,１１Ａ３のうち嵩上げ誘電体層１１Ａ２の断面のみが示されている。
【０１０９】
以上のようにして、各放電セルＣＢ,ＣＧ,ＣＲの行方向の幅が何れも同寸法のｕになるように設定され、各放電セルＣＢ,ＣＧ,ＣＲを区画する横壁３５ｂの各部分３５ｂ１,３５ｂ２,３５ｂ３の幅ｍ１,ｍ２,ｍ３がｍ２＞ｍ３＞ｍ１の関係になっていることから、放電セルＣＢの列方向の幅ｎ１および放電セルＣＧの列方向の幅ｎ２,放電セルＣＲの列方向の幅ｎ３がｎ１＞ｎ３＞ｎ２の関係となって、前面ガラス基板１０の表示面における放電セルＣＢの開口面積ＳＢおよび放電セルＣＧの開口面積ＳＧ,放電セルＣＲの開口面積ＳＲは、ＳＢ＞ＳＧ＞ＳＲの関係を有するようになる。
【０１１０】
上記ＰＤＰは、第１の例のＰＤＰと同様に、発光輝度が相対的に最も小さい青色の蛍光体層が形成されている放電セルＣＢの開口面積ＳＢが最も大きくなるように形成され、次に発光輝度が小さい赤色の蛍光体層が形成されている放電セルＣＲの開口面積ＳＲが大きくなるように形成され、発光輝度が相対的に最も大きい緑色の蛍光体層が形成されている放電セルＣＧの開口面積ＳＧが最も小さくなるように形成されるので、各放電セルＣＢ,ＣＧ,ＣＲの開口面積ＳＢ,ＳＧ,ＳＲの面積比率を青,緑,赤の所定の相対輝度比率に対応するように設定することにより、ホワイトバランスの調整に必要な面放電による発光の際の各放電セル間における相対的な発光輝度の調整を、各放電セルＣＢ,ＣＧ,ＣＲの開口面積比だけで行うことが出来るようになる。
【０１１１】
したがって、従来のようなホワイトバランスの調整のために蛍光体層の色毎に放電回数を調整する方法と比べて、蛍光体層の輝度が大きい放電セルに合せるために蛍光体層の輝度が小さい放電セルにおける放電回数を増加させたりする必要がなく、ホワイトバランスの調整のために放電電流が増加することは無い。
【０１１２】
また反対に、蛍光体層の輝度が小さい放電セルに合せるために蛍光体層の輝度が大きい放電セルにおける放電回数を減少させる必要も無くなるので、ホワイトバランスの調整に伴う画面の輝度低下の虞も無い。
【０１１３】
さらに、三原色の各色毎の表示階調が一定となり、その表示階調数が損われる虞が無くなるので、表示画面の品質の向上される。
そして、各放電セルにおける放電回数の調整のための信号処理が不要になるので、ＰＤＰの駆動回路構成を簡易にすることが出来る。
【０１１４】
なお、上記の例のＰＤＰにおいては、隔壁３５の縦壁３５ａの幅は一定にしておいて横壁３５ｂの幅を異ならせることにより、放電セルＣＢ,ＣＧ,ＣＲのそれぞれの開口面積ＳＢ,ＳＧ,ＳＲを互いに異ならせるようにしたが、放電セルＣＢ,ＣＧ,ＣＲのそれぞれの開口面積ＳＢ,ＳＧ,ＳＲを互いに異ならせるために、縦壁２５ａの幅も異ならせるようにしても良い。
【０１１５】
次に、この発明の実施形態における第６の例を、図１６に基づいて説明する。
図１６は、この第６の例におけるＰＤＰのバス電極と嵩上げ誘電体層との関係を模式的に表す平面図である。
【０１１６】
この第６の例のＰＤＰは、上記第５の例のＰＤＰが、行電極対のバス電極の幅、および、バス電極とこのバス電極間に対応する嵩上げ誘電体層の幅、嵩上げ誘電体層に対向する横壁の幅を各色の放電セル毎に異ならせているのに対し、バス電極の幅を一定にして、列方向に配列された行電極対（Ｘ２，Ｙ２）の互いに背中合わせに位置しているバス電極Ｘ２ｂとＹ２ｂ間の幅を各放電セルＣＢ,ＣＧ,ＣＲに対応して変化させたものである。
【０１１７】
すなわち、背中合わせに位置しているバス電極Ｘ２ｂとＹ２ｂの放電セルＣＢに隣接している部分の間隔ｍ１”と、放電セルＣＧに隣接している部分の間隔ｍ２”と、放電セルＣＲに隣接している部分の間隔ｍ３”が、ｍ２”＞ｍ３”＞ｍ１”の関係になるように設定されている。
【０１１８】
そして、誘電体層の背面のバス電極Ｘ２ｂとＹ２ｂに対向する位置に形成された嵩上げ誘電体層１１Ａ”および図示しない隔壁の横壁のそれぞれ放電セルＣＢ,ＣＧ,ＣＲに対応する部分の幅は、第５の例と同様に設定されている。
【０１１９】
この第６の例のＰＤＰは、前述した各例の場合と同様に、放電セルＣＢ,ＣＧ,ＣＲのそれぞれの開口面積ＳＢ,ＳＧ,ＳＲがＳＢ＞ＳＧ＞ＳＲの関係に設定されて、各例の場合と同様の作用効果を有している。
【０１２０】
次に、この発明の実施形態における第７の例を、図１７に基づいて説明する。
図１７は、この第７の例におけるＰＤＰのバス電極と嵩上げ誘電体層との関係を模式的に表す平面図である。
【０１２１】
前述した第１ないし６の例のＰＤＰがそれぞれ放電セルを区画するのに井桁状の隔壁を用いているのに対し、この第７の例のＰＤＰは、帯状の隔壁４５Ａ,４５Ｂ,４５Ｃを列方向に平行に配置して、放電セルＣＢ’,ＣＧ’,ＣＲ’を各色毎に区画しているものである。
【０１２２】
そして、この第７の例のＰＤＰは、放電セルＣＧ’とＣＲ’の間に配置された帯状の隔壁４５Ｂの幅を他の隔壁４５Ａ,４５Ｃの幅よりも大きくし、さらに、隔壁４５Ｃ側よりも隔壁４５Ａ側に偏らせた状態で配置されている。
【０１２３】
これによって、行方向に配列される放電セルＣＢ’,ＣＧ’,ＣＲ’の開口面積ＳＢ’,ＳＧ’,ＳＲ’が、前記各例のＰＤＰと同様に、ＳＢ’＞ＳＧ’＞ＳＲ’の関係に設定されて、各実施例の場合と同様の作用効果が発揮される。
【図面の簡単な説明】
【図１】この発明の実施形態における第１の例を模式的に表す平面図である。
【図２】図１のＶ１−Ｖ１線における断面図である。
【図３】図１のＶ２−Ｖ２線における断面図である。
【図４】図１のＶ３−Ｖ３線における断面図である。
【図５】図１のＶ４−Ｖ４線における断面図である。
【図６】図１のＷ１−Ｗ１線における断面図である。
【図７】図１のＷ２−Ｗ２線における断面図である。
【図８】この発明の実施形態における第２の例を模式的に表す平面図である。
【図９】この発明の実施形態における第３の例を模式的に表す平面図である。
【図１０】この発明の実施形態における第４の例を模式的に表す平面図である。
【図１１】この発明の実施形態における第５の例を模式的に表す平面図である。
【図１２】図１１のＶ５−Ｖ５線における断面図である。
【図１３】図１１のＶ６−Ｖ６線における断面図である。
【図１４】図１１のＷ３−Ｗ３線における断面図である。
【図１５】図１１のＷ４−Ｗ４線における断面図である。
【図１６】
この発明の実施形態における第６の例を模式的に表す平面図である。
【図１７】
この発明の実施形態における第７の例を模式的に表す平面図である。
【図１８】
面放電方式交流型プラズマディスプレイパネルの従来のセル構造を模式的に示
す平面図である。
【符号の説明】
１０  …前面ガラス基板（前面基板）
１１  …誘電体層
１１Ａ１,１１Ａ２,１１Ａ３…嵩上げ誘電体層（嵩上げ部）
１２  …保護層
１３  …背面ガラス基板（背面基板）
１４  …誘電体層
１５，２５，２５’３５…隔壁
１５ａ，２５ａ，２５ａ’…縦壁（縦壁部）
１５ｂ，２５ｂ，２５ｂ’…横壁（横壁部）
１５ｂ１,１５ｂ２,１５ｂ３…横壁の部分
１５’  …黒色層（光吸収層）
１５”  …白色層（光反射層）
１６Ｂ,１６Ｇ,１６Ｒ…蛍光体層
２５ｂ１,２５ｂ２,２５ｂ３…横壁の各部分
２５ｂ１’,２５ｂ２’,２５ｂ３’…横壁の各部分
３０    …光吸収層
３１    …光吸収層
４５Ａ,４５Ｂ,４５C…隔壁
Ｘ,Ｘi,Ｘ１…行電極
Ｙ,Ｙi,Ｙ１…行電極
Ｘａ,Ｘiａ,Ｘ１ａ…透明電極
Ｙａ,Ｙiａ,Ｙ１ａ…透明電極
Ｘｂ,Ｘiｂ,Ｘ１ｂ…バス電極
Ｙｂ,Ｙiｂ,Ｙ１ｂ…バス電極
Ｘｂ’，Ｙｂ’…黒色層（光吸収層）
Ｘｂ”，Ｙｂ”…白黒色層（光反射層）
Ｄ    …列電極
ＣＢ,ＣＧ,ＣＲ,ＣＢ’,ＣＧ’,ＣＲ’…放電セル
ＳＢ,ＳＧ,ＳＲ,ＳＢ’,ＳＧ’,ＳＲ’…開口面積
ｇ    …ギャップ
ｍ１,ｍ２,ｍ３,ｍ１’,ｍ２’,ｍ３’…幅
ｒ１,ｒ２,ｒ３…幅
【図１】
0003790075.tif 000002
【図２】
0003790075.tif 000003
【図３】
0003790075.tif 000004
【図４】
0003790075.tif 000005
【図５】
0003790075.tif 000006
【図６】
0003790075.tif 000007
【図７】
0003790075.tif 000008
【図８】
0003790075.tif 000009
【図９】
0003790075.tif 000010
【図１０】
0003790075.tif 000011
【図１１】
0003790075.tif 000012
【図１２】
0003790075.tif 000013
【図１３】
0003790075.tif 000014
【図１４】
0003790075.tif 000015
【図１５】
0003790075.tif 000016
【図１６】
0003790075.tif 000017
【図１７】
0003790075.tif 000018
【図１８】
0003790075.tif 000019